(57)【要約】【課題】エレベーター等、建物設備機器の保守員の出動が必要とされる通報を優先的に監視センターで受信することができ、保守員の出動を効率的に実施でき、迅速な復旧作業を行うこと。【解決手段】  建物の管理人室１０に常駐管理人１１が在室しているときに信号を出力する管理人在室情報スイッチ１０Ａと、前記管理人の閉じ込め救出の技能を有するときに投入されて信号を出力する管理人閉じ込め救出対応可否スイッチ１０Ｂと、地震発生時にエレベーターに通報要因が発生したとき、がこ内が無人の場合、或いは、かご内が有人の場合でも管理人在室情報スイッチ１０Ａの信号が出力され、前記管理人閉し込め救出対応可否スイッチ１０Ｂが信号を出力したときは通報開始を遅延させる通報遅延手段とを備えた。【選択図】図１
2013129527.tif 000002
【特許請求の範囲】
【請求項１】
建物に設置されるエレベーターの異常を検出し公衆回線網を経由して監視センターに通報するエレベーター遠隔監視装置において、
前記建物の管理人室に管理人が在室しているときに信号を出力する管理人在室情報スイッチと、
前記管理人の閉じ込め救出の技能を有するときに投入されて信号を出力する管理人閉じ込め救出対応可否スイッチと、
地震発生時に前記エレベーターに通報要因が発生したとき、かご内が無人の場合、或いは、かご内が有人の場合の何れでも前記管理人在室情報スイッチの信号が出力され、前記管理人閉じ込め救出対応可否スイッチが信号を出力したときは通報開始を遅延させる通報遅延手段と
を備えたことを特徴とするエレベーター遠隔監視装置。
【発明の詳細な説明】
【技術分野】
【０００１】
本発明は、エレベーターの遠隔監視装置と監視センター間の通話機能を有するエレベーターの遠隔監視装置に関する。
【背景技術】
【０００２】
エレベーターの異常を検出し公衆回線網を経由して監視センターに通報するエレベーター遠隔監視装置において、地震等の広域災害が発生すると、多くのエレヘーターで通報要因がほぼ同時に発生し、監視センターへの通報が集中してしまうため、監視センターて全ての通報を受信てきなくなる虞がある。
【０００３】
そのため、地震検知時に「閉じ込め通報」は速く、それ以外は遅くするといった方法（特許文献１参照）が知られている。
【先行技術文献】
【特許文献】
【０００４】
【特許文献１】特開２００３−７３０５０号公報
【発明の概要】
【発明が解決しようとする課題】
【０００５】
しがしながら上記従来技術によれば、乗客が閉じ込められている等、緊急度が高いと思われる通報を優先して通報させているが、日中大規模な地震が発生した場合、非常に多くの通報が集中し、監視センターにて受信てきないことが想定される。
【０００６】
本発明の目的は、「閉じ込め以外の通報」及ひ「閉じ込め通報」でもその建物に閉じ込め救出技能を有する管理人が常駐している場合は通報を遅延させることにより、管理人が不在の建物での「閉じ込め通報」を最優先するエレベーターの遠隔監視装置を提供することにある。
【課題を解決するための手段】
【０００７】
上記目的を達成するために発明は、建物に設置されるエレベーターの異常を検出し公衆回線網を経由して監視センターに通報するエレベーター遠隔監視装置において、前記建物の管理人室に管理人が在室しているときに信号を出力する管理人在室情報スイッチと、前記管理人の閉じ込め救出の技能を有するときに投入されて信号を出力する管理人閉じ込め救出対応可否スイッチと、地震発生時に前記エレベーターに通報要因が発生したとき、かご内が無人の場合、或いは、かご内が有人の場合の何れでも前記管理人在室情報スイッチの信号が出力され、前記管理人閉じ込め救出対応可否スイッチが信号を出力したときは通報開始を遅延させる通報遅延手段とを備えたことを特徴とする。
【０００８】
このようにしたのて、地震発生時は、人がエレベーターかご内に閉じ込められていない緊急性の低い通報の通報開始タイミングを遅らせ、相対的に、それ以外の乗客がエレベーターかご内にいる緊急性の高い通報が監視センターで受信し易くなるようにする。
【０００９】
また、乗客がかご内にいる場合ても、保守員の出動が必要となる状況か、また管理人にて救出が可能かを判断し、管理人にて救出が可能な場合は通報タイミングを遅らせるようにする。これらにより、保守員の出動が本当に必要となる緊急性の高い通報が優先的に監視センターに通報されるため、重要な通報が受信されやすくなり、救出作業を効率的に行うことがてきるようになる。
【発明の効果】
【００１０】
以上の本発明によれば、地震等の広域災害の発生により、通報要因が多数発生する場合に、乗客が閉じ込められていて、保守員の出動が必要とされる通報を優先的に監視センターで受信することができ、保守員の出動を効率的に実施でき、迅速な復旧作業を行うことができる。
【図面の簡単な説明】
【００１１】
【図１】エレベーター遠隔監視システムの構成図である。
【図２】監視装置の通報優先度設定処理に関するフローチャートである。
【発明を実施するための形態】
【００１２】
以下、本発明を実施するための最良の形態を図に基づいて説明する。
【００１３】
図１は本発明のエレベーター遠隔監視システムの構成図で、図２は本発明の遠隔監視装置の通報優先度設定処理に関するフローチャートである。
【００１４】
図１において、エレベーターの乗りかご１に監視カメラ２と、行先階釦３が設置されており、乗客４は、乗りかご１内にて行先階釦３を押す。また制御装置５は、乗りかご１の運転状態を制御すると共に、エレベーター遠隔監視装置７に、乗りかご１の状態を伝送し、エレベーター遠隔監視装置７は、異常を検出した場合、公衆回線網８を経由して、監視センター９に通報を行う。またエレベーター遠隔監視装置７は、通報の優先度を判定して優先度の低い通報を遅延させる通報遅延手段７Ａを内部に有する。
【００１５】
管理人室１０に、常駐管理人１１が操作する管理人在室情報スイッチ１０Ａ、管理人閉じ込め救出対応可否スイッチ１０Ｂが備えられており、管理人在室時報スイッチ１０Ａ、管理人閉じ込め救出対応可否スイッチ１０Ｂの設定情報がエレベーター遠隔監視装置７内の通報遅延手段７Ａに接続されている。管理人在室情報スイッチ１０Ａは、常駐管理人１１が在室の場合にＯＮに設定し、不在の場合はＯＦＦに設定する。また管理人閉じ込め救出対応可否スイッチ１０Ｂは、在室する常駐管理人１１が閉じ込め救出訓練を実施済みの場合はＯＮに設定し、未実施の場合はＯＦＦに設定する。地震が発生していない通常時は、エレベーターの異常を検出しても通報が集中することがないので、すべての通報を通報優先度最高の「Ａランク通報」として即時通報を実施している。地震が発生して地震計６が動作した場合、制御装置５に地震計６の動作信号が入力され、エレベーター遠隔監視装置７に制御装置５から地震計６の動作信号が出力される。エレベーター遠隔監視装置７は、制御装置５から入力されるエレベーターの制御情報を監視し、異常が発生した場合には、監視センター９への通報処理を開始する。通報処理を開始する際に、かご内が無人か有人の確認を行う。
【００１６】
監視カメラ２が設置されている場合は、監視力メラ２にてかご内が有人か無人かを判別する。監視力メラ２が設置されていない場合は、行先階釦３が押されてから乗りかご１のトアが開いていない場合は有人と判断し、それ以外は無人と判断する。また、図示しない乗りかご１に設けられた荷重センサにより、有人、無人を判断することもできる。
【００１７】
地震発生時は過去の実績から異常通報が集中するため、無人の場合は、エレベータ一遠隔監視装置７に設置された通報遅延手段７Ａは、通報の優先度が低い広域災害時無人遅延通報「Ｄランク通報」とし、通報開始タイミングを例えは３０分遅らせる。有人の場合は、通報遅延手段７Ａは管理人在室情報スイッチ１０Ａの出力信号を確認し、常駐管理人１１が常駐していない場合は、保守員の出動を要するため、緊急性が最も高い「Ａランク通報」とし即時通報を開始する。
【００１８】
また通報遅延手段７Ａは管理人在室情報スイッチ１０Ａの出力信号を確認し、常駐管理人１１が在室している場合は、さらに管理人閉じ込め救出対応可否スイッチ１０Ｂの出力信号を確認し、常駐管理人１１が閉じ込め救出対応不可の場合は、保守員の出動は必要てあるが、常駐管理人１１がエレベーターの現状を確認して保守会社に連絡するので、常駐管理人１１不在の場合よりは低めの優先度の「Ｂランク通報」とし例えば通報開始タイミングを１０分遅らせる。
【００１９】
常駐管理人１１が閉じ込め救出訓練実施済みで閉じ込め救出対応可の場合は、閉じ込めの状態を通報遅延手段７Ａにて確認し、乗りかご１の停止位置が制御装置５からの制御情報て乗場階間の中間位置の状態の場合は、常駐管理人１１により救出不可能なので保守員の出動が必要てあるが、常駐管理人１１からエレベーターの現状を確認して保守会社に連絡するので、緊急性が２番目に高い「Ｂランク通報」を設定する。また閉じ込めの状態が、常駐管理人１１にて救出可能な状態てあった場合、緊急性が３番目に高い「Ｃランク通報」と設定し、例えば通報開始タイミングを２０分遅らせる。
【００２０】
次に、通報遅延手段７Ａにおける、通報の優先度決定処理について図２により説明する。
【００２１】
手順Ｓ１において、エレベーターに異常が発生しているかを確認する。異常が発生していなければ（手順Ｓ１でＮｏ）、継続してエレベーターに異常が発生しているかを確認する。
【００２２】
異常が発生している場合は（手順Ｓ１でＹｅｓ）、手順Ｓ２において、地震計６が動作した広域災害が発生しているかを確認する。地震が発生していない場合は（手順Ｓ２でＮｏ）、エレベーターの異常を検出しても通報が集中することがないので、手順Ｓ１２にてすべての通報を通報優先度最高の「Ａランク通報」として手順Ｓ９の通報処理を実施する。
【００２３】
地震計６が動作している場合は（手順Ｓ２でＹｅｓ)、手順Ｓ３にて、かご内に乗客がいるかを判断する。かご内に乗客がいない場合は（手順Ｓ３でＮｏ）、手順Ｓ１１において、広域災害時無人遅延通報「Ｄランク通報」に設定し、通報開始タイミングを例えば３０分遅延させるため待機処理を実施し、手順Ｓ９の通報処理を実施する。乗りかご１内に乗客がいた場合は（手順Ｓ３でＹｅｓ)、手順Ｓ４にて、通報遅延手段７Ａは管理人在室情報スイッチ１０Ａの出力信号を確認する。常駐管理人がいない場合は（手順Ｓ４でＮｏ）、手順Ｓ１０にて、最も緊急性が高い広域災害時有人優先通報「Ａランク通報」に設定し、手順Ｓ９の通報処理を行う。
【００２４】
常駐管理人がいる場合は（手順Ｓ４でＹｅｓ）、手順Ｓ５にて常駐管理人閉じ込め救出対応可否スイッチ１０Ｂを確認する。管理人閉じ込め救出対応可否スイッチ１０Ｂの信号が対応不可の場合は（手順Ｓ５でＮｏ）、手順Ｓ８にて、常駐管理人が現地状況確認可能後保守員の出動を要請する、２番目に緊急性の高い広域災害時有人優先通報「Ｂランク通報」に設定し、例えば１０分通報開始を遅延させるため待機処理を実施し、手順Ｓ９の通報処理を実施する。
【００２５】
管理人閉じ込め救出対応可否スイッチ１０Ｂの信号が対応可の場合は（手順Ｓ５でＹｅｓ）、手順Ｓ６において、通報遅延手段７Ａが常駐管理人による救出が可能な乗りかご１の状態かを確認し、常駐管理人により救出不可能と判断した場合は保守員の出動が必要なので（手順Ｓ６でＮｏ）、手順Ｓ８にて２番目に緊急性の高い広域災害時有人優先通報「Ｂランク通報」に設定し、例えば１０分通報開始を遅延させるため待機処理を実施し、手順Ｓ９の通報処理を実施する。
【００２６】
手順Ｓ６において、常駐管理人による救出が可能な場合は（手順Ｓ６でＹｅｓ）、手順Ｓ７において３番目に緊急性の高い広域災害時有人優先通報「Ｃランク通報」に設定し、例えば２０分通報開始を遅延させるため待機処理を実施し、手順Ｓ９の通報処理を実施する。この場合、常駐管理人による救出が無事終了すれば、正常復帰信号が通報され保守員の出動は不要となる。また、常駐管理人が救出できなくてもかご内の乗客との対話等により、乗客の不安感の解消は可能であり、現地状況によっては常駐管理人からの通話等により別途連絡があるので、通報が「Ｃランク通報」でも保守員は適切な対応が可能である
このように通報をランク分けすることにより、地震時にエレベーターに異常が発生した場合、かご内無人の通報は「Ｄランク通報」として３０分遅延通報をさせ、有人の場合でも常駐管理人の常駐の有無、かご内乗客の救出技能の可否等によりランク別に通報を遅延させているので、地震発生時は広域で多数のエレベーターから異常通報があることは過去の例から明らかなので、保守員の出動が必要となる可能性の高いエレベーターからの通報が最優先に通報することでき、効率的に復旧作業を行うことができる。
【符号の説明】
【００２７】
１  乗りかご
２  監視カメラ
３  行先階釦
４  乗客
５  制御装置
６  地震計
７  遠隔監視装置
７Ａ  通報遅延手段
８  公衆回線網
９  監視センター
１０  管理人室
１０Ａ  管理人在室情報スイッチ
１０Ｂ  管理人閉じ込め救出対応可否スイッチ
１１  常駐管理人
【図１】
2013129527.tif 000003
【図２】
2013129527.tif 000004